(57)【要約】【課題】取付面に取り付け易い照明装置を提供する。【解決手段】照明装置１は、発光モジュール３３と、発光モジュール３３に電力を供給するための配線８２ａが挿通される筐体１５０と、筐体１５０が取り付けられる取付面に対して傾斜する角度で筐体１５０に挿通されることで、筐体１５０を造営材に固定するネジ部材７０とを備える。【選択図】図３
2020098730.tif 000002
【特許請求の範囲】
【請求項１】
発光モジュールと、
前記発光モジュールに電力を供給するための配線が挿通される筐体と、
前記筐体が取り付けられる取付面に対して傾斜する角度で前記筐体に挿通されることで、前記筐体を前記取付面に固定するネジ部材とを備える
照明装置。
【請求項２】
さらに、前記筐体に締結される取付板を備え、
前記取付板は、
前記取付面に固定される取付本体部と、前記取付本体部に設けられた係止部とを有し、
前記取付面と合わさる底面が形成され、
前記係止部は、前記ネジ部材が締結される締結孔を有し、
前記ネジ部材が挿通される前記締結孔の挿通方向は、前記取付板の前記底面に対して傾斜する
請求項１に記載の照明装置。
【請求項３】
前記筐体は、板状部と、前記板状部の外周縁を囲むように、前記板状部の外周縁から立上る側壁部とを有し、
前記側壁部は、前記取付板の前記底面に対して傾斜する傾斜面部を有し、
前記傾斜面部には、前記ネジ部材が挿通される挿通孔が形成され、
前記ネジ部材が挿通される前記挿通孔の挿通方向は、前記取付板の前記底面に対して傾斜する
請求項２に記載の照明装置。
【請求項４】
前記係止部は、前記筐体の内部で前記傾斜面部と当接する
請求項３に記載の照明装置。
【請求項５】
前記取付板の前記底面に対する前記筐体の高さ方向において、前記ネジ部材は、前記取付板の前記底面側から前記筐体の高さの半分の位置までの間に配置される
請求項２〜４のいずれか１項に記載の照明装置。
【請求項６】
正面から前記筐体を視た場合に、前記ネジ部材は、前記側壁部の外周面から突出していない
請求項３又は４に記載の照明装置。
【請求項７】
人の存在の有無を検知する人感センサ、及び、周囲の照度を検知する照度センサのうちの少なくとも一方と、
前記発光モジュールの点灯状態を制御する照明制御部と、
有底筒状の収容体と、
前記収容体を支持するアーム部と、
前記収容体に収容され、前記発光モジュールに電力を供給する電源部とをさらに備え、
前記発光モジュールは、前記筐体に間接的に固定され、
前記人感センサが人の存在の有無を検知した場合、前記照明制御部は、前記発光モジュールの点灯及び消灯を制御し、
前記照度センサが周囲の照度を検知した場合、前記照明制御部は、前記発光モジュールが発する光の明るさを制御する
請求項１〜６のいずれか１項に記載の照明装置。
【請求項８】
さらに、人の存在の有無を検知する人感センサ、及び、周囲の照度を検知する照度センサのうちの少なくとも一方と、
前記発光モジュールの点灯状態を制御する照明制御部と、
前記筐体に収容され、前記発光モジュールに電力を供給する電源部とをさらに備え、
前記発光モジュールは、前記筐体に直接的に固定され、
前記人感センサから人の存在の有無を検知した場合、前記照明制御部は、前記発光モジュールの点灯及び消灯を制御し、
前記照度センサから周囲の照度を検知した場合、前記照明制御部は、前記発光モジュールが発する光の明るさを制御する
請求項１〜６のいずれか１項に記載の照明装置。
【発明の詳細な説明】
【技術分野】
【０００１】
本開示は、照明装置に関する。
【背景技術】
【０００２】
従来の照明装置として特許文献１には、円筒形状に形成されるセードと、セードに設けられ半導体発光素子によって構成される光源を有する光源ユニットと、設置面に取り付けられるベースとを備える照明器具が開示されている。
【先行技術文献】
【特許文献】
【０００３】
【特許文献１】特開２０１８−１６６０２６号公報
【発明の概要】
【発明が解決しようとする課題】
【０００４】
従来の照明装置を造営材に取り付ける場合、例えば、造営材の取付面に予め取り付けた取付部材に照明装置のベースを合わせ、ネジによってベースと取付部材とを締結する。しかし、作業者がネジを取付部材に取り付ける取付作業の際に、ドライバ及び作業者の手がセード又は造営材に当たらないように、セードの向きを変えたりして、作業空間を確保した後に、ドライバによってネジを締め付け、照明装置のベースを取付部材に取り付けていた。ネジを締結するごとに、作業者が注意して作業をすることになるため、取付作業における作業者の作業効率が低下することとなる。
【０００５】
そこで、取付面に取り付け易い照明装置を提供することを目的とする。
【課題を解決するための手段】
【０００６】
上記目的を達成するために、本開示に係る照明装置の一態様は、発光モジュールと、前記発光モジュールに電力を供給するための配線が挿通される筐体と、前記筐体が取り付けられる取付面に対して傾斜する角度で前記筐体に挿通されることで、前記筐体を前記取付面に固定するネジ部材とを備える。
【発明の効果】
【０００７】
本開示に係る照明装置は、取付面に取り付け易い。
【図面の簡単な説明】
【０００８】
【図１】図１は、実施の形態１に係る照明装置を例示する斜視図である。
【図２】図２は、実施の形態１に係る照明装置を例示する分解斜視図である。
【図３】図３は、図１のＩＩＩ−ＩＩＩ線における照明装置の断面を例示する断面図、及び、部分拡大断面図である。
【図４】図４は、ネジ部材の挿通方向と取付板の底面との角度と、ネジ部材の高さとの関係を示す図である。
【図５】図５は、実施の形態１に係る照明装置を例示するブロック図である。
【図６】図６は、実施の形態２に係る照明装置を例示する斜視図である。
【図７】図７は、図６のＶＩＩ−ＶＩＩ線における照明装置の断面を例示する断面図である。
【発明を実施するための形態】
【０００９】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００１０】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略または簡略化する。
【００１１】
まず、本実施の形態に係る照明装置について説明する。
【００１２】
（実施の形態１）
［構成］
図１は、実施の形態１に係る照明装置１を例示する斜視図である。図１では、照明装置１において、電源部３２に対する透光カバー３５の方向をＸ軸プラス方向と規定し、筐体１５０に対する灯具３の方向をＺ軸プラス方向と規定し、Ｘ軸プラス方向及びＺ軸プラス方向と交差する方向をＹ軸プラス方向と規定する。そして、図２以降の各図に示す各方向は、図１に示す各方向に対応させて表示する。
【００１３】
［照明装置１］
図１に示すように、照明装置１は、天井、壁等の造営材に取り付けられる装置である。例えば、照明装置１は、スポットライト、シーリングライト等である。照明装置１は、所定の方向に向けて光を照射することで所定方向を照明することができる装置である。
【００１４】
図２は、実施の形態１に係る照明装置１を例示する分解斜視図である。図２に示すように、照明装置１は、取付板１６０と、筐体１５０と、ネジ部材７０と、アーム部７と、灯具３とを備える。
【００１５】
［取付板１６０］
取付板１６０は、造営材に設けられたスイッチボックス７１の開口と対向するようにパッキン８１を介して、造営材に取り付けられる。取付板１６０は、筐体１５０を所定の姿勢で固定するための固定板である。
【００１６】
図３は、図１のＩＩＩ−ＩＩＩ線における照明装置１の断面を例示する断面図、及び、部分拡大断面図である。具体的には、取付板１６０は、造営材に設けられたスイッチボックス７１の被締結部と締結されたネジ等の締結部材によって、スイッチボックス７１に固定される。取付板１６０は、円板状の平板である。取付板１６０は、例えば、アルミニウム、又は鉄等を主成分とした金属板、板状である樹脂製の部材等である。
【００１７】
図２及び図３に示すように、取付板１６０は、取付本体部１６１と、２つの係止部１６２とを有する。
【００１８】
取付本体部１６１は、パッキン８１を介してスイッチボックス７１に固定される。言い換えれば、取付本体部１６１は、造営材とでパッキン８１を挟むように、造営材の取付面に取り付けられる。
【００１９】
取付本体部１６１は、円板状の平板である。取付本体部１６１は、第１挿通孔１６５と、２つの第１貫通孔１６７とを有する。
【００２０】
第１挿通孔１６５は、スイッチボックス７１から引き出された配線８２等が挿通される。第１挿通孔１６５は、取付本体部１６１の中央部分に形成される。本実施の形態では、取付本体部１６１の中心軸は、第１挿通孔１６５の開口と交差する。
【００２１】
各々の第１貫通孔１６７には、取付板１６０をスイッチボックス７１に固定するための締結部材が挿通される。一方の第１貫通孔１６７は、第１挿通孔１６５と取付本体部１６１のＸ軸プラス方向の外周縁との間に形成され、他方の第１貫通孔１６７は、第１挿通孔１６５から一方の第１貫通孔１６７側とは反対側である、第１挿通孔１６５と取付本体部１６１のＸ軸マイナス方向の外周縁との間に形成される。なお、第１貫通孔１６７は３つ以上形成されていてもよい。
【００２２】
２つの係止部１６２は、取付本体部１６１に設けられ、取付本体部１６１と一体的に形成される。各々の係止部１６２は、取付本体部１６１の両端に形成される。具体的には、一方の係止部１６２は、取付本体部１６１のＹ軸プラス方向の外周縁と接する位置に形成され、他方の係止部１６２は、第１挿通孔１６５から一方の係止部１６２とは反対側の、取付本体部１６１のＹ軸マイナス方向の外周縁と接する位置に形成される。２つの係止部１６２を結ぶ直線と、２つの第１貫通孔１６７を結ぶ直線とは、略直交する。なお、係止部１６２は３つ以上形成されていてもよい。
【００２３】
各々の係止部１６２は、立上部１６２ａと、第１傾斜面部１６２ｂとを有する。
【００２４】
立上部１６２ａは、取付本体部１６１に対してＺ軸プラス方向に立上がる板状の壁である。立上部１６２ａは、第１傾斜面部１６２ｂの姿勢を支持する。
【００２５】
第１傾斜面部１６２ｂは、立上部１６２ａの先端から屈曲して取付本体部１６１の外周縁に向けて傾斜する板状の部材である。図３に示すように第１傾斜面部１６２ｂは、造営材の取付面と合わさる底面つまり取付板１６０の底面１６０ａに対して所定の角度で傾斜する。より具体的には、一対の第１傾斜面部１６２ｂは、Ｚ軸プラス方向からマイナス方向に向けて広がる方向に傾斜する。
【００２６】
第１傾斜面部１６２ｂには、ネジ部材７０が締結される締結孔１６３が形成される。第１傾斜面部１６２ｂがＸ−Ｙ平面に対して傾斜している。そのため、ネジ部材７０が挿通される締結孔１６３の挿通方向（直線Ｊ１と平行な方向）は、取付板１６０の底面１６０ａに対して傾斜する。
【００２７】
筐体１５０は、発光モジュール３３に電力を供給するための配線８２、８２ａが挿通される容器である。また、筐体１５０は、後述する人感センサ９１、後述する照度センサ９２等を収容する。筐体１５０は、金属製であり、例えば、アルミニウム、又は鉄等を主成分とした部材である。本実施の形態では、筐体１５０は、例えばアルミダイカスト工程を経て形成される。
【００２８】
筐体１５０は、板状部１５０ａと、側壁部１５０ｂとを有する。
【００２９】
板状部１５０ａは、平面視で略円形状の板状の部材である。側壁部１５０ｂは、板状部１５０ａの外周縁を囲むように、板状部１５０ａの外周縁から立上る壁状の部材である。
【００３０】
また、筐体１５０は、２つのネジ孔部１５１と、第２貫通孔１５２と、第３貫通孔１５３とを有する。
【００３１】
２つのネジ孔部１５１は、Ｙ軸方向における筐体１５０の側壁部１５０ｂの両側に形成される。具体的には、一方のネジ孔部１５１は、筐体１５０のＹ軸プラス方向の側壁部１５０ｂに形成され、他方のネジ孔部１５１は、板状部１５０ａの中心軸から一方のネジ孔部１５１とは反対側の、筐体１５０のＹ軸マイナス方向の側壁部１５０ｂに形成される。なお、ネジ孔部１５１は３つ以上形成されていてもよい。
【００３２】
ネジ孔部１５１は、取付板１６０の底面１６０ａに対して所定の角度で傾斜する第２傾斜面部１５１ａを有する。第２傾斜面部１５１ａには、第２挿通孔１５１ｂが形成される。第２挿通孔１５１ｂは、締結孔１６３と対向する。第２挿通孔１５１ｂには、締結孔１６３とともにネジ部材７０が挿通される。第２傾斜面部１５１ａがＸ−Ｙ平面に対して傾斜しているため、ネジ部材７０が挿通される第２挿通孔１５１ｂの挿通方向（直線Ｊ１と平行な方向）は、取付板１６０の底面１６０ａに対して傾斜する。より具体的には、一対の第２傾斜面部１５１ａは、Ｚ軸プラス方向からＺ軸マイナス方向に向かって広がる方向に傾斜する。本実施の形態では、第２傾斜面部１５１ａの面と平行な直線Ｊ２がＸ−Ｙ平面に対して傾斜する傾斜角度は、第１傾斜面部１６２ｂの面と平行な直線Ｊ２がＸ−Ｙ平面に対して傾斜する傾斜角度と略同一である。また、第２傾斜面部１５１ａの内側の面（筐体１５０の内側の面）と第１傾斜面部１６２ｂのＺ軸プラス方向側の面とが当接する。つまり、Ｚ軸マイナス方向から筐体１５０を平面視した場合に、第１傾斜面部１６２ｂとネジ孔部１５１の第２傾斜面部１５１ａとは、重なっている。第２挿通孔１５１ｂは、挿通孔の一例である。第２傾斜面部１５１ａは、傾斜面部の一例である。
【００３３】
また、ネジ孔部１５１は、筐体１５０の側壁部１５０ｂに形成される。ネジ孔部１５１は、側壁部１５０ｂの外周面から筐体１５０の中心軸に向かって凹む凹部である。ネジ孔部１５１には、取付板１６０と筐体１５０とを締結するネジ部材７０が設けられる。つまり、ネジ部材７０が取付板１６０と筐体１５０とを締結した状態で、Ｚ軸マイナス方向から筐体１５０を平面視した場合（正面から筐体１５０を視た場合）に、２つのネジ部材７０は、筐体１５０の側壁部１５０ｂの外周面から突出していない。つまり、２つのネジ部材７０は、ネジ孔部１５１に隠れて視認できない。
【００３４】
第２貫通孔１５２は、筐体１５０の板状部１５０ａに形成され、筐体１５０の内部とアーム部７の一端部が取付られる。第２貫通孔１５２には、発光モジュール３３に電力を供給するための配線８２ａが挿通される。また、第２貫通孔１５２には、アーム部７の一端部（軸マイナス方向側の端部）が挿通され、アーム部７が回動可能に取り付けられる。
【００３５】
第３貫通孔１５３は、筐体１５０の側壁部１５０ｂに形成され、筐体１５０の内部と外部とを連通する。第３貫通孔１５３は、人感センサ９１のセンサ部分が露出する開口である。
【００３６】
［ネジ部材７０］
ネジ部材７０は、取付板１６０と筐体１５０とを締結するための、ネジ等の締結部材である。取付板１６０の底面１６０ａと平行な直線Ｊ３に対して傾斜するネジ部材７０の挿通方向と平行な直線Ｊ１とがなす角度θで、ネジ部材７０が筐体１５０に挿通されることで、取付板１６０と筐体１５０とを締結する。ネジ部材７０の傾斜はネジ部材７０の頭部（ドライバと係合する部分）が筐体１５０から離れる方向（言い換えれば、Ｚ軸方向と平行な筐体１５０の中心軸から離れる方向）に傾斜している。また、取付板１６０の底面１６０ａに対する筐体１５０の高さ方向（Ｚ軸方向）において、ネジ部材７０は、取付板１６０の底面１６０ａ側から筐体１５０の高さの半分の位置までの間に配置される。つまり、第１傾斜面部１６２ｂ及び第２傾斜面部１５１ａは、取付板１６０の底面１６０ａに対する筐体１５０の高さ方向において、取付板１６０の底面１６０ａ側の筐体１５０の端部から筐体１５０の高さの半分の位置までの間に配置される。
【００３７】
取付作業において、ネジ部材７０が傾斜する角度θ（以下、単に角度θということがある。）が０°に近づくほど、ドライバ及び作業者の手が造営材に接触し易くなり、角度θが９０°に近づくほど、ドライバ及び作業者の手が灯具３に接触し易くなる。このため、ネジ部材７０の挿通方向（直線Ｊ１と平行な方向）と取付板１６０の底面１６０ａとがなす角度である角度θは、約３５°〜約６０°である。特に、角度θは、約４５°〜約５５°にすることが好ましい。
【００３８】
ここで、筐体１５０に収容される、筐体１５０の高さ方向におけるネジ部材７０の位置（ネジ部材７０の高さ）と、ネジ部材７０が傾斜する角度θとの関係について、図４を用いて説明する。図４は、ネジ部材７０の挿通方向と取付板１６０の底面１６０ａとの角度と、ネジ部材７０の高さとの関係を示す図である。
【００３９】
図４のネジ部材７０の高さＹと角度で示される値Ｘとの関係はＹ＝２Ｘ−６０、９０＞Ｘ＞０、及び、Ｙ＞０で示される。図４に示すように、角度を小さくすればするほど、筐体１５０の厚みを薄くすることができるが、角度が３５°未満となれば筐体１５０の高さが低くなり、例えば筐体１５０の高さが約１０ｍｍ以下では取付作業を行い難くなる。また、角度が６０°よりも大きくなると、筐体１５０の高さが高くなってしまい、例えば筐体１５０の高さが約６０ｍｍ以上では筐体１５０が大型化してしまう。このため、角度を３５°〜６０°とすることで作業者の取付作業性と筐体１５０の大型化との両立を実現できる。
【００４０】
［アーム部７］
アーム部７は、Ｚ軸方向に長尺の部材である。アーム部７は、一端部が筐体１５０の第２貫通孔１５２に接続され、かつ、他端部が灯具３に接続される。具体的には、アーム部７の一端部は、Ｚ軸方向の周方向に回動可能に、筐体１５０の第２貫通孔１５２に取り付けられる。つまり、アーム部７の一端部は、筐体１５０の第２貫通孔１５２の外部から内部に挿通される。また、アーム部７の他端部は、後述する灯具３を構成する収容体３１の支持アーム部７の長手方向と直交する軸心の周方向に、回動可能に取り付けられる。
【００４１】
アーム部７の内部には、Ｚ軸方向に図示しない第１導通孔が形成される。第１導通孔は、筐体１５０の内部と連通する。第１導通孔には、配線８２ａが挿通され、配線８２ａによって電源部３２から発光モジュール３３に電力が供給される。このように、配線８２ａが照明装置１の外部に露出しないため、配線８２ａの損傷が抑制される。
【００４２】
アーム部７は、金属製であり、例えば、アルミニウム、又は鉄等を主成分とした部材である。本実施の形態では、アーム部７は、例えばアルミダイカスト工程を経て形成される。
【００４３】
［灯具３］
灯具３は、アーム部７の他端部に固定され、照明する光を発する器具である。灯具３は、収容体３１と、取付部材１３１と、発光モジュール３３と、支持部材１３５と、光学部材３４と、透光カバー３５と、電源部３２とを備える。
【００４４】
収容体３１は、Ｘ軸方向に長尺な有底筒状の容器である。具体的には、収容体３１のＸ軸プラス方向側が開口し、収容体３１のＸ軸マイナス方向側が閉じている。収容体３１は、電源部３２、発光モジュール３３、光学部材３４、透光カバー３５等をこの並び順で内部に収容する。
【００４５】
また、収容体３１には、アーム部７の他端部と接続する支持アーム部７が、収容体３１の外周に形成される。支持アーム部７は、収容体３１のＸ軸マイナス方向側に形成され、アーム部７の第１導通孔と連通する図示しない第２導通孔が形成される。第２導通孔には、アーム部７の第１導通孔を挿通した配線８２ａが挿通される。
【００４６】
収容体３１は、金属製であり、例えば、アルミニウム、又は鉄等を主成分とした部材である。本実施の形態では、収容体３１は、例えばアルミダイカスト工程を経て形成される。収容体３１は、発光モジュール３３から発生した熱を放熱するヒートシンクとして機能する。
【００４７】
発光モジュール３３は、照明装置１が周囲を照明するための光を出射する。発光モジュール３３は、光を放射状に発するＬＥＤ（Ｌｉｇｈｔ  Ｅｍｉｔｔｉｎｇ  Ｄｉｏｄｅ）を有するモジュールである。発光モジュール３３は、収容体３１の内部形状（収容体３１をＸ軸プラス方向から見た場合の形状）に応じた形状に形成され、本実施の形態では円板状である。
【００４８】
発光モジュール３３は、ネジ及び支持部材１３５によって取付部材１３１に固定される。支持部材１３５は、発光モジュール３３を取付部材１３１とで挟むように取付部材１３１に固定される。支持部材１３５は、例えば、ＰＢＴ、ポリカーボネート等の樹脂材料である。また、取付部材１３１は、平板状の金属製である。取付部材１３１は、発光モジュール３３から発生した熱を効率よく収容体３１に伝導させるように、収容体３１に固定される。このように発光モジュール３３は、収容体３１、アーム部７等を介して間接的に筐体１５０に保持される。
【００４９】
取付部材１３１は、収容体３１の内部空間をＸ軸プラス方向側とＸ軸マイナス方向側とを仕切る。具体的には、取付部材１３１は、Ｘ軸プラス方向側の透光カバー３５、光学部材３４、及び、発光モジュール３３と、Ｘ軸マイナス方向側の電源部３２との間を仕切る。
【００５０】
発光モジュール３３は、光源と、実装基板とを有する。
【００５１】
光源は、例えば白色光を出射するように構成される。具体的には、光源は、ＣＯＢ（Ｃｈｉｐ  Ｏｎ  Ｂｏａｒｄ）型ＬＥＤで構成され、実装基板と、実装基板上に実装されたベアチップ（ＬＥＤチップ）である複数の青色ＬＥＤと、それら青色ＬＥＤを封止し、黄色蛍光体を含む封止部材とを備える。
【００５２】
実装基板は、複数のＬＥＤを実装するための基板であり、円板状である。実装基板は、例えばセラミックス基板、樹脂基板又は絶縁被覆されたメタルベース基板等である。また、実装基板は、取付部材１３１に固定される。なお、実装基板には、ＬＥＤを発光させるために、直流電流を電源部３２から受電する一対の電極端子（正電極端子及び負電極端子）が形成される（不図示）。
【００５３】
光学部材３４は、透光性の部材である。光学部材３４は、例えばアクリル樹脂（ＰＭＭＡ：Ｐｏｌｙｍｅｔｈｙｌ  ｍｅｔｈａｃｒｙｌａｔｅ）、ポリカーボネート等の透明樹脂材料、又は、ガラス材料等の透明材料によって形成される。
【００５４】
光学部材３４は、収容体３１の内部形状に応じた形状に形成され、円板状である。光学部材３４は、発光モジュール３３の光源と対向する位置であり、発光モジュール３３の光源が発する主たる光の光軸上に設けられる。光学部材３４は、発光モジュール３３と透光カバー３５との間に配置され、発光モジュール３３と向かい合うように収容体３１の内部に固定される。光学部材３４は、取付部材１３１よりも収容体３１の内部のＸ軸プラス方向側に配置される。光学部材３４は、発光モジュール３３が発する光を透光させ、透光した光を透光カバー３５に出射させる。
【００５５】
なお、光学部材３４は、発光モジュール３３から入射された光を透光させて、光の向きを制御して光を出射させる配光制御機能を有していてもよい。例えば、光学部材３４は、フレネルレンズ形状等であってもよい。
【００５６】
透光カバー３５は、透光性の部材である。透光カバー３５は、例えばＰＭＭＡ、ポリカーボネート等の透明樹脂材料、又は、ガラス材料等の透明材料によって形成される。
【００５７】
透光カバー３５は、収容体３１の内部形状に応じた形状に形成され、平面視で略円形状である。透光カバー３５は、光を透光させる平板状のカバー部３５ａと、カバー部３５ａをＸ軸方向から平面視したときの外周端縁に形成され、カバー部３５ａから立上る部分である被係合部３５ｂとを有する。透光カバー３５の被係合部３５ｂが収容体３１の係合部と係合することで、透光カバー３５は、収容体３１に固定される。透光カバー３５は、光学部材３４、発光モジュール３３、電源部３２等を収容した収容体３１の開口を封止する蓋の役割を果たす。
【００５８】
透光カバー３５は、光学部材３４と対向する位置、つまり、発光モジュール３３の光源が発する主たる光の光軸上（Ｘ軸プラス方向）に設けられる。透光カバー３５は、光学部材３４のＸ軸プラス方向側に配置され、光学部材３４と向かい合うように収容体３１の内部に固定される。透光カバー３５は、取付部材１３１よりも収容体３１の内部のＸ軸プラス方向側に配置される。透光カバー３５は、光学部材３４を透光した発光モジュール３３が発する光をさらに透光させ、透光した光を灯具３の外側に出射させる。
【００５９】
なお、カバー部３５ａは、発光モジュール３３から入射された光を拡散させる光拡散機能を有していてもよい。例えば、カバー部３５ａは、光拡散材が内部又は表面に分散された乳白色の部材、表面に微小な凹凸加工を施すことで形成した部材等であってもよい。
【００６０】
電源部３２は、発光モジュール３３に電力を供給する電源回路が内蔵されたモジュールである。電源部３２に内蔵された電源回路は、電源部３２に接続された配線８２ａから供給された交流電流を直流電流に変換し、変換した直流電流を、リード線を介して発光モジュール３３の光源に供給する。
【００６１】
電源部３２は、取付部材１３１よりも収容体３１の内部のＸ軸マイナス方向側に配置される。つまり、電源部３２は、収容体３１内の底側（最も奥側）に収容され、取付部材１３１によって移動しないように保持される。すなわち、電源部３２のＸ軸プラス方向側の端部が取付部材１３１に支持され、取付部材１３１のＸ軸マイナス方向側の端部が収容体３１の内部に支持される。
【００６２】
図５は、実施の形態１に係る照明装置１を例示するブロック図である。図５に示すように、照明装置１は、さらに、人感センサ９１と、照度センサ９２と、照明制御部３９とを備える。なお、照明装置１は、人感センサ９１及び照度センサ９２のうちの少なくとも一方を備えていればよく、照明装置１が人感センサ９１及び照度センサ９２の両方を備えることが必須の構成要件ではない。
【００６３】
［人感センサ９１］
人感センサ９１は、照明装置１の周囲における人の存在の有無を検知するセンサである。人感センサ９１は、人の存在の有無を検知すると、検知結果を示す検知情報を照明制御部３９に送信する。
【００６４】
［照度センサ９２］
照度センサ９２は、照明装置１の周囲の照度を検知するための明るさセンサである。照度センサ９２は、周囲の明るさを検知すると、周囲の照度を示す照度情報を照明制御部３９に送信する。
【００６５】
［照明制御部３９］
照明制御部３９は、発光モジュール３３の点灯及び消灯を制御するコントローラであり、例えば筐体１５０に収容される。照明制御部３９は、人感センサ９１から取得した検知情報に基づいて、発光モジュール３３の点灯及び消灯を制御する。例えば、照明制御部３９は、人感センサ９１から検知情報を取得すると、発光モジュール３３を点灯させる制御コマンドを電源部３２に送信したり、人感センサ９１から検知情報を取得すると、点灯している発光モジュール３３を消灯させる制御コマンドを電源部３２に送信したりする。これにより、照明装置１は、人が存在すれば点灯し、人が存在しなくなれば消灯する。
【００６６】
また、照明制御部３９は、発光モジュール３３の点灯状態を制御するコントローラでもある。照明制御部３９は、照度センサ９２から取得した照度情報に基づいて、発光モジュール３３が発する光の明るさを制御する。例えば、照明制御部３９は、照度センサ９２から照度情報を取得すると、照度情報が示す明るさに応じて、発光モジュール３３を点灯させる制御コマンドを電源部３２に送信する。具体的には、照度センサ９２の周囲が明るければ、発光モジュール３３の発する光の光量が少ない制御コマンドを電源部３２に送信したり、照度センサ９２の周囲が暗ければ、発光モジュール３３の発する光の光量が多い制御コマンドを電源部３２に送信したりする。これにより、照明装置１は、周囲の照度に応じて、明るく点灯したり僅かな明るさで点灯したりする。
【００６７】
［取り付け作業手順］
この照明装置１を造営材に取り付ける作業手順を説明する。
【００６８】
まず、作業者は、取付板１６０を造営材の取付孔から露出しているスイッチボックス７１に固定する。具体的には、スイッチボックス７１からは、系統電力に接続された配線８２が配置されているため、配線８２を取付板１６０の第１挿通孔１６５に挿通し、照明装置１の配線８２ａと電気的に接続する。そして、２つの第１貫通孔１６７に締結部材及びスイッチボックス７１に挿通して取付板１６０をスイッチボックス７１に固定する。
【００６９】
次に作業者は、照明装置１の筐体１５０を取付板１６０に位置合わせする。つまり、取付板１６０の係止部１６２と筐体１５０のネジ孔部１５１とが対応するように、位置合わせをする。そして、作業者は、取付板１６０の底面１６０ａに対して傾斜する挿通方向に、ネジ部材７０をネジ孔部１５１の第２挿通孔１５１ｂと係止部１６２の締結孔１６３に挿通して、ネジ部材７０と係止部１６２とを締結する。これにより、筐体１５０が取付板１６０に固定される。こうして、照明装置１は、造営材に取り付けられる。
【００７０】
［作用効果］
次に、本実施の形態における照明装置１の作用効果について説明する。
【００７１】
上述したように、本実施の形態に係る照明装置１は、発光モジュール３３と、発光モジュール３３に電力を供給するための配線８２ａが挿通される筐体１５０と、筐体１５０が取り付けられる取付面に対して傾斜する角度で筐体１５０に挿通されることで、筐体１５０を造営材に固定するネジ部材７０とを備える。
【００７２】
従来では、筐体の板状部に設けられたネジ穴にネジを挿通させることで筐体と取付板とを固定していた。しかし、照明装置を造営材に取り付ける際に、筐体と取付板とをネジによる締結作業において、灯具が障害にならないように灯具の向きを変えながら行わなければならないため、作業効率が低下してしまう。
【００７３】
しかし、この照明装置１では、取付板１６０の底面１６０ａに対して傾斜する角度で、取付板１６０と筐体１５０とをネジ部材７０で締結することができる。つまり、筐体１５０に対して斜め側からドライバを用いて取付板１６０と筐体１５０とをネジ部材７０で締結することができるため、取付作業の際に灯具３又は造営材が邪魔になり難い。
【００７４】
したがって、この照明装置１を取付面に取り付け易い。その結果、取付作業における作業者の作業効率の低下を抑制することができる。
【００７５】
また、本実施の形態に係る照明装置１は、さらに、筐体１５０に締結される取付板１６０を備える。また、取付板１６０は、造営材に固定される取付本体部１６１と、取付本体部１６１に設けられた係止部１６２とを有する。さらに、取付板１６０には、取付面と合わさる底面１６０ａが形成される。また、係止部１６２は、ネジ部材７０が締結される締結孔１６３を有する。そして、ネジ部材７０が挿通される締結孔１６３の挿通方向は、取付板１６０の底面１６０ａに対して傾斜する。
【００７６】
これによれば、取付板１６０に筐体１５０を取り付ける際に、取付板１６０の底面１６０ａに対して斜め方向にネジ部材７０を締結孔１６３に挿通することができるため、取付板１６０と筐体１５０との取付作業を行い易くなる。
【００７７】
また、本実施の形態に係る照明装置１において、筐体１５０は、板状部１５０ａと、板状部１５０ａの外周縁を囲むように、板状部１５０ａの外周縁から立上る側壁部１５０ｂとを有する。また、側壁部１５０ｂは、取付板１６０の底面１６０ａに対して傾斜する第２傾斜面部１５１ａを有する。第２傾斜面部１５１ａには、ネジ部材７０が挿通される第２挿通孔１５１ｂが形成される。そして、ネジ部材７０が挿通される第２挿通孔１５１ｂの挿通方向は、取付板１６０の底面１６０ａに対して傾斜する。
【００７８】
これによれば、取付板１６０に筐体１５０を取り付ける前に、取付板１６０の第１挿通孔１６５に配線８２ａを挿通した状態にすることで、取付板１６０を造営材（スイッチボックス７１）に強固に固定することができる。
【００７９】
また、本実施の形態に係る照明装置１において、係止部１６２は、第２傾斜面部１５１ａと筐体１５０の内部で当接する。
【００８０】
これによれば、第２傾斜面部１５１ａと係止部１６２とが当接するため、取付板１６０に筐体１５０を取り付ける際の位置決めを行い易くなる。
【００８１】
また、本実施の形態に係る照明装置１における、取付板１６０の底面１６０ａに対する筐体１５０の高さ方向において、ネジ部材７０は、取付板１６０の底面１６０ａ側から筐体１５０の高さの半分の位置までの間に配置される。
【００８２】
例えば、従来では、筐体内においてＺ軸方向を通るネジによって、筐体内の収容空間を十分に確保し難い。このため、収容空間に装置を収容する場合、筐体が大型化してしまう。しかし、この照明装置１によれば、ネジ部材７０を筐体１５０の造営材側、つまり、筐体１５０と取付板１６０とで形成されるコーナ側に配置することで、筐体１５０内における収容領域を確保することができる。
【００８３】
また、本実施の形態に係る照明装置１において、正面から筐体１５０を視た場合に、ネジ部材７０は、側壁部１５０ｂの外周面から突出していない。
【００８４】
このため、造営材に取り付けられた照明装置１を見た場合に、ネジ部材７０が筐体１５０に隠れてしまうため、見栄えが良くなる。
【００８５】
また、本実施の形態に係る照明装置１は、人の存在の有無を検知する人感センサ９１、及び、周囲の照度を検知する照度センサ９２のうちの少なくとも一方と、発光モジュール３３の点灯状態を制御する照明制御部３９と、有底筒状の収容体３１と、収容体３１を支持するアーム部７と、収容体３１に収容され、発光モジュール３３に電力を供給する電源部３２とをさらに備える。また、発光モジュール３３は、筐体１５０に間接的に固定される。さらに、人感センサ９１が人の存在の有無を検知した場合、照明制御部３９は、発光モジュール３３の点灯及び消灯を制御する。そして、照度センサ９２が周囲の照度を検知した場合、照明制御部３９は、発光モジュール３３が発する光の明るさを制御する。
【００８６】
この照明装置１は、例えばスポットライト、シーリングライト等の照明装置１に適用できる。
【００８７】
（実施の形態２）
本実施の形態に係る照明装置２００について説明する。
【００８８】
［構成］
本実施の形態の照明装置２００は、アーム部を有していない点、及び、発光モジュール２３３が筐体２５０に直接的に固定されている点等で実施の形態１と異なる。本実施の形態の照明装置２００の構成は、特に明記しない場合、実施の形態１と同様であり、同一の構成については同一の符号を付して構成に関する詳細な説明を省略する。
【００８９】
図６は、実施の形態２に係る照明装置２００を例示する斜視図である。図７は、図６のＶＩＩ−ＶＩＩ線における照明装置２００の断面を例示する断面図である。
【００９０】
図６及び図７に示すように、照明装置２００は、天井、壁等の造営材に取り付けられる装置である。例えば、照明装置２００は、シーリングライト等である。照明装置２００は、周囲を照明することができる。照明装置２００は、高さ方向（Ｘ軸方向）に扁平な円柱状である。
【００９１】
本実施の形態では、照明装置２００は、取付板２６０と、筐体２５０と、ネジ部材７０と、人感センサ９１と、照度センサ９２と、発光モジュール２３３と、透光カバー２３５と、枠体２３１とを備える。取付板２６０、人感センサ９１、及び照度センサ９２については実施の形態１と同様である。また、筐体２５０のネジ孔部２５１における第２傾斜面部２５１ａの第２挿通孔２５１ｂを挿通し取付板２６０の係止部２６２の締結孔２６３に締結される構成も同様である。
【００９２】
筐体２５０は、Ｘ軸方向に扁平な円柱状である。筐体２５０は、電源部３２、照明制御部３９、人感センサ９１、照度センサ９２等を収容する。
【００９３】
また、筐体２５０は、発光モジュール２３３を所定の姿勢で載置するための載置部２５７を有する。つまり、発光モジュール２３３は、筐体２５０の載置部２５７に直接的に固定される。載置部２５７は、照明装置２００の中心軸（Ｘ軸）上に配置され、Ｚ−Ｙ平面と略平行な平面を形成する。載置部２５７は、発光モジュール２３３に発生した熱を放熱させる。また、筐体２５０がネジ部材７０を介して取付板２６０に固定される。このため、発光モジュール２３３に発生した熱、つまり光源２３３ｂで発した熱は、実装基板２３３ａを介して載置部２５７に伝導される。
【００９４】
透光カバー２３５は、透光性の部材である。透光カバー２３５は、ドーム状に形成され、発光モジュール２３３と対向する位置に配置される。つまり、透光カバー２３５は、発光モジュール２３３の光源２３３ｂが発する光を透光させ、照明装置２００の外部に出射する。透光カバー２３５は、枠体２３１を介して筐体２５０に固定される。
【００９５】
枠体２３１は、照明装置２００の外装を形成する部材であり、透光カバー２３５を所定の姿勢で保持する。枠体２３１は、円環状であり、筐体２５０にネジ止めされる。
【００９６】
［作用効果］
次に、本実施の形態における照明装置２００の作用効果について説明する。
【００９７】
上述したように、本実施の形態に係る照明装置２００は、さらに、人の存在の有無を検知する人感センサ９１、及び、周囲の照度を検知する照度センサ９２のうちの少なくとも一方と、発光モジュール２３３の点灯状態を制御する照明制御部３９と、筐体２５０に収容され、発光モジュール２３３に電力を供給する電源部３２とをさらに備える。また、発光モジュール２３３は、筐体２５０に直接的に固定される。人感センサ９１から人の存在の有無を検知した場合、照明制御部３９は、発光モジュール２３３の点灯及び消灯を制御する。そして、照度センサ９２から周囲の照度を検知した場合、照明制御部３９は、発光モジュール２３３が発する光の明るさを制御する。
【００９８】
この照明装置２００は、例えばシーリングライト等に適用できる。
【００９９】
この照明装置２００においても実施の形態１と同様の作用効果を奏する。
【０１００】
（その他変形例）
以上、本開示に係る照明装置について、実施の形態１、２に基づいて説明したが、本開示は、上記の各実施の形態１、２に限定されるものではない。
【０１０１】
例えば、上記の各実施の形態１、２において、電源部が収容体に収容されているがこれには限定されない。電源部は、筐体に収容されていてもよく、収容体及び筐体の外部に配置されていてもよい。
【０１０２】
また、上記の各実施の形態１、２において、照明制御部が筐体に収容されているがこれには限定されない。照明制御部は、収容体に収容されていてもよい。
【０１０３】
なお、上記の各実施の形態１、２に対して当業者が思い付く各種変形を施して得られる形態や、本開示の趣旨を逸脱しない範囲で各実施の形態１、２における構成要素及び機能を任意に組み合わせることで実現される形態も本開示に含まれる。
【符号の説明】
【０１０４】
１、２００  照明装置
３２  電源部
３３  発光モジュール
３９  照明制御部
７０  ネジ部材
８２、８２ａ  配線
９１  人感センサ
９２  照度センサ
１５０、２５０  筐体
１５１ａ、２５１ａ  第２傾斜面部（傾斜面部）
１５１ｂ、２５１ｂ  第２挿通孔
１６０、２６０  取付板
１６１  取付本体部
１６２、２６２  係止部
１６３、２６３  締結孔
１６５  第１挿通孔
【図１】
2020098730.tif 000003
【図２】
2020098730.tif 000004
【図３】
2020098730.tif 000005
【図４】
2020098730.tif 000006
【図５】
2020098730.tif 000007
【図６】
2020098730.tif 000008
【図７】
2020098730.tif 000009